(57)【特許請求の範囲】
【請求項１】
発電体を駆動するエンジンが遮音カバ−内に配置され、該遮音カバーが前記エンジンの底面側を覆うアンダーカバーを有し、前記エンジンがオイル注入排出口を備え、該オイル注入排出口を露出させる露出開口が前記遮音カバーに形成されたエンジン発電機において、
前記露出開口を介して前記オイル注入排出口に着脱可能なオイル注入又は排出用のオイル口用アダプタを有し、該オイル口用アダプタが前記アンダーカバーの底面部に形成された貫通開口に着脱可能に取付けられ、前記貫通開口が前記オイル注入排出口の鉛直方向の下側位置に配置されていることを特徴とするエンジン発電機。
【請求項２】
前記アンダーカバーの底面部には、前記貫通開口を含み、前記オイル注入排出口の真下部位の周囲を囲むよう上方に突出するリブが形成されていることを特徴とする請求項１に記載のエンジン発電機。
【請求項３】
発電体を駆動するエンジンが遮音カバ−内に配置され、該遮音カバーが前記エンジンの底面側を覆うアンダーカバーを有し、前記エンジンがオイル注入排出口を備え、該オイル注入排出口を露出させる露出開口が前記遮音カバーに形成されたエンジン発電機において、
前記露出開口を介して前記オイル注入排出口に着脱可能なオイル注入又は排出用のオイル口用アダプタを有し、該オイル口用アダプタが前記アンダーカバーの底面部に形成された貫通開口に着脱可能に取付けられ、
前記アンダーカバーの底面部には、前記貫通開口を含み、前記オイル注入排出口の真下部位の周囲を囲むよう上方に突出するリブが形成されていることを特徴とするエンジン発電機。
【請求項４】
前記オイル口用アダプタが、前記貫通開口を塞ぐ閉塞部を有することを特徴とする請求項１乃至３の何れか１つに記載のエンジン発電機。
【請求項５】
前記オイル口用アダプターが、弾性材料から形成されていることを特徴とする請求項１乃至４の何れか１つに記載のエンジン発電機。
【発明の詳細な説明】
【０００１】
【発明の属する技術分野】
この発明は、発電体を駆動するエンジンが遮音カバーで覆われたエンジン発電機、特に遮音カバー内のエンジンにオイルを注入または排出する際、遮音カバー内を汚しにくいエンジン発電機に関する。
【０００２】
【従来の技術】
従来、発電体をエンジンにより駆動して発電するエンジン発電機では、発電中に発電体やエンジンから発生する騒音が大きいため、これらが遮音カバーで覆われている。特に携帯用のエンジン発電機は、この遮音カバー内に発電体やエンジンの他、マフラー、燃料タンク、コントローラ等の全ての装置がコンパクト収容されている。さらに、例えば特開２００１ー２７１２５号〜特開２００１−２７１２８号公報、特開平１１−２００８６１号、特開平１１−２００８７３号〜特開平１１−２００８７７号公報等に記載されたように、エンジンがシュラウドとケースとにより二重に覆われたエンジン発電機も知られている。
【０００３】
このようなエンジン発電機には各種のメンテナンスが必要であり、エンジンについてはオイルの注入や排出が必要である。オイルの注入や排出はエンジンが遮音カバーで覆われたエンジン発電機の場合、遮音カバーの一部に開閉可能な露出開口を設けておき、この露出開口を介して、内部に固定されたエンジンのオイル注入排出口から行われる。
【０００４】
ところが、各種の制約からオイル注入排出口が露出開口から多少離れた位置に配置されるようなことがある。このような場合には、露出開口の外側からオイル注入排出口までを連結するように漏斗等のオイル口用アダプターを配置してオイルの注入や排出が行われる。なお、そのようなオイル口用アダプターがエンジン発電機の付属品として準備されているものもある。
【０００５】
【発明の解決しようとする課題】
しかしながら、このような従来のエンジン発電機では、エンジンのオイル注入排出口が露出開口から離れた位置に配置された場合、漏斗等のオイル口用アダプターを用いてもオイルを注入しにくく、また、露出開口内でオイル注入排出口を開口させた状態でエンジン発電機を傾けることによりオイルを排出させるため、オイルの排出はさらに行いにくく、注入又は排出時にオイルを遮音カバー内にこぼしてアンダーカバー内を汚し易い。しかも、遮音カバー内には各種の装置が配置されているため、こぼれたオイルを除去することは容易でない。また、オイル口用アダプターはエンジン発電機とは別部材であるため、紛失し易いなどの問題点があった。
【０００６】
そこで、この発明は上記従来の問題点を解決するため、オイルの注入又は排出の際遮音カバー内を清浄に保ちやすいと同時に、オイル口用アダプターを紛失しにくいエンジン発電機を提供することを目的とする。
【０００７】
【課題を解決するための手段】
以上のような課題を解決すべく、請求項１に記載の発明は、発電体を駆動するエンジンが遮音カバ−内に配置され、該遮音カバーが前記エンジンの底面側を覆うアンダーカバーを有し、前記エンジンがオイル注入排出口を備え、該オイル注入排出口を露出させる露出開口が前記遮音カバーに形成されたエンジン発電機において、前記露出開口を介して前記オイル注入排出口に着脱可能なオイル注入又は排出用のオイル口用アダプタを有し、該オイル口用アダプタが前記アンダーカバーの底面部に形成された貫通開口に着脱可能に取付られ、前記貫通開口が前記オイル注入排出口の鉛直方向の下側位置に配置されていることを特徴とする。
【０００９】
さらに、請求項２に記載の発明は、請求項１に記載の構成に加え、前記アンダーカバーの底面部には、前記貫通開口を含み、前記オイル注入排出口の真下部位の周囲を囲むよう上方に突出するリブが形成されていることを特徴とする。
さらに、請求項３に記載の発明は、発電体を駆動するエンジンが遮音カバ−内に配置され、該遮音カバーが前記エンジンの底面側を覆うアンダーカバーを有し、前記エンジンがオイル注入排出口を備え、該オイル注入排出口を露出させる露出開口が前記遮音カバーに形成されたエンジン発電機において、前記露出開口を介して前記オイル注入排出口に着脱可能なオイル注入又は排出用のオイル口用アダプタを有し、該オイル口用アダプタが前記アンダーカバーの底面部に形成された貫通開口に着脱可能に取付けられ、前記アンダーカバーの底面部には、前記貫通開口を含み、前記オイル注入排出口の真下部位の周囲を囲むよう上方に突出するリブが形成されていることを特徴とする。
【００１０】
また、請求項４に記載の発明は、請求項１乃至３の何れか１つに記載の構成に加え、前記オイル口用アダプタが、前記貫通開口を塞ぐ閉塞部を有することを特徴とする。
【００１１】
さらに、請求項５に記載の発明は、請求項１乃至４の何れか１つき記載の構成に加え、前記オイル口用アダプターが、弾性材料から形成されていることを特徴とする。
【００１２】
【発明の実施の形態】
以下、この発明を図を用いて詳細に説明する。
【００１３】
図１乃至図６はこの発明の実施の形態を示す。
【００１４】
図において、１は携帯用のエンジン発電機であり、図１又は図２に示すように、回転駆動されることにより発電する発電体１１、該発電体１１を駆動するエンジン１３、エンジン１３により駆動される冷却用ファン１５、燃料を貯留するフューエルタンク１７等を有し、これら全ての装置が遮音カバー２内に収容されて構成されている。
【００１５】
遮音カバー２は、図１に示すように、アンダーカバー３と、このアンダーカバー３に着脱可能に固定されていて、フロントカバー４ａ、リヤカバー４ｂ、及びサイドカバー４ｃからなる上部分割カバー４とを有している。エンジン１３等の各装置は、何れもアンダーカバー３の底面に設けられたベース部に直接或いは間接に固定され、該アンダーカバー３により底面側が、また、上部分割カバー４により側面及び上面側がそれぞれ覆われている。
【００１６】
エンジン１３には、図２又は図３に示すように、オイルを注入或いは排出する際に使用されるオイル注入排出口２３がリヤ側の側面下部に筒状に突出して設けられていて、開閉可能な栓体２５により閉塞されている。
【００１７】
一方、図１又は図３に示すように、上部分割カバー４のリアカバー４ｂには、エンジン１３及びその周辺の装置を露出させることができる露出開口５が設けられていて、着脱可能な側壁蓋６により覆われている。オイル注入排出口２３は、この露出開口５を開口させた状態で露出される。また、そのオイル注入排出口２３は、他の装置との関係や、エンジン１３の配置の都合上、露出開口５より離れた内側位置に配置されている。
【００１８】
アンダーカバー３には、図３又は図４に示すように、オイル注入排出口２３の鉛直方向の下側位置に、オイル注入排出口２３の投影形状より広い面積を有する貫通開口２７が設けられている。さらに、この貫通開口２７を含み、オイル注入排出口２３の真下部位の周囲を囲む位置には、上方に突出してリブ２９が設けられていて、アンダーカバー３の側壁部３ａとともにオイル注入排出口２３の真下部位の全周囲を隙間無く囲んでいる。
【００１９】
このエンジン発電機１には、図３又は図５に示すように、軟質の弾性材料により形成されたオイル口用アダプタ３１が設けられていて、貫通開口２７に取付けられている。
【００２０】
このオイル口用アダプタ３１は、図５に示すように、貫通開口２７の全周囲と密着して貫通開口２７を塞ぐ閉塞部３３と、該閉塞部３３の周囲に溝状に形成されて貫通開口２７に着脱可能に装着できる取付溝３５と、閉塞部３３の一方の面側に断面略「コ」字状に形成されたオイル流動ガイド３７と、オイル流動ガイド３７から連続して形成され、エンジン１３のオイル注入排出口２３外周に液密に装着できる取付孔３９とを有している。
【００２１】
このオイル口用アダプタ３１は、通常、図３に示すように取付溝３５を貫通開口２７に嵌合することにより取付けられていて、閉塞部３３により貫通開口２７が完全に閉塞された状態となっている。
【００２２】
このような構成のエンジン発電機１において、エンジン１３にオイルを注入したり排出するには、まず、側壁蓋６を取り外し、エンジン１３及びオイル注入排出口２３を露出開口５から露出させる。次に、栓体２５を取り外して、オイル注入排出口２３を開口させる。そして、図６に示すように、アンダーカバー３の貫通開口２７からオイル口用アダプタ３１を下面側に取り外し、このオイル口用アダプタ３１の取付孔３９をオイル注入排出口２３の外周に嵌合させるとともに、オイル流動ガイド３７の先端３７ａを露出開口５から外側に臨ませる。
【００２３】
このとき、オイル口用アダプタ３１は、一方端側がオイル注入排出口２３に固定され、他方端側が露出開口５の下部周縁５ａ部分に載置されることにより、オイル流動ガイド３７がエンジン１３側に下り勾配に配置される。また、オイル口用アダプタ３１を取り外したので、貫通開口２７が開口している。
【００２４】
そして、オイル口用アダプタ３１を利用してオイルをエンジン１３に注入するには、この状態で、露出開口５のオイル流動ガイド３７の先端３７ａ側にオイルを供給すれば、オイル流動ガイド３７を通してエンジン１３に注入することができる。
【００２５】
また、この状態でオイル口用アダプタ３１を利用してオイルを排出させるには、オイル口用アダプタ３１を装着した状態で、エンジン発電機１を傾斜させることにより、オイル注入排出口２３から排出されたオイルを、オイル注入ガイド３７を通して先端３７ａまで案内して外部に排出させることができる。
【００２６】
さらに、エンジン発電機１を通常の使用状態に戻すには、オイル口用アダプタ３１をオイル注入排出口２３から取り外し、また、オイル注入排出口２３を栓体２５で閉塞し、その後、オイル口用アダプタ３１をアンダーカバー３の下面側から、貫通開口２７に挿入し、取付溝３５を貫通開口２７の周縁に嵌合させることにより取付ける。そして、側壁蓋６を装着することにより、通常の使用状態とすることができる。
【００２７】
以上のような構成を有するエンジン発電機１によれば、オイル注入排出口２３に着脱可能なオイル注入又は排出用のオイル口用アダプタ３１を有し、このオイル口用アダプタ３１がアンダーカバー３の底面部に形成された貫通開口２７に着脱可能に取付られているので、遮音カバー２に形成された露出開口５を介してエンジン１３にオイルを注入又は排出する際、オイル口用アダプタ３１を貫通開口２７から取り外してオイル注入排出口２３に装着すれば、オイルの注入又は排出作業が容易である。そのため、オイル注入排出口２３と露出開口５との位置関係に制約が減り、レイアウトの自由度が高まる。
【００２８】
それと同時に、アンダーカバー３の底面部の貫通開口２７が開口されるため、オイルを遮音カバー２内にこぼしても、落下したオイルを貫通開口２７から排出させることができる。そのため、アンダーカバー３の内部を清浄に保ち易い。
【００２９】
しかも、オイル口用アダプター３１を使用しない間は貫通開口２７に取付けておけばエンジン発電機１と一体状態で保持することができ、オイル口用アダプター３１を紛失しにくい。
【００３０】
また、貫通開口２７がオイル注入排出口２３の鉛直方向の下側位置に配置されているので、オイル注入排出口２３からこぼれたオイルを、そのまま貫通開口２７を通して外部に落下させることができ、アンダーカバー３内を汚しにくい。
【００３１】
さらに、アンダーカバー３の底面部に、貫通開口２７を含み、オイル注入排出口２３の真下部位の周囲を囲むように上方に突出するリブ２９が形成されているので、オイル注入排出口２３からこぼれたオイルがアンダーカバー３に落下しても、オイルをリブ２９で囲まれたオイル注入排出口２３の真下部位の周囲に留めておくことができる。そのため、落下したオイルを貫通開口２７から排出し易い。また、落下したオイルがアンダーカバー３の底面部に広範囲に広がらないため底面部全体が落下したオイルにより汚れることを防止できる。さらに、貫通開口２７からオイルを拭き取ることもできる。
【００３２】
また、オイル口用アダプタ３１が貫通開口２７を塞ぐ閉塞部３３を有するので、遮音カバー２に貫通開口２７を設けていても、貫通開口２７を閉塞部３３で完全に塞げば、エンジン発電機１の稼働中に発生する騒音が貫通開口２７を通して外部に伝わりにくく、遮音効果を向上することができる。
【００３３】
さらに、オイル口用アダプター３１が弾性材料から形成されているので、オイル口用アダプター３１を弾性変形させれば取付孔３９を容易にオイル供給排出口２３に着脱することができるとともに、取付溝３５をアンダーカバー３の貫通開口２７に容易に着脱することができる。
【００３４】
なお、この発明は上記の実施の形態に限定されることなく、適宜変更可能であり、例えば上記では、オイルの注入と排出の両方に使用するためのオイル注入排出口２３を１つ備えたエンジン１３の例を説明したが、オイルの注入用の開口とオイルの排出用の開口とをそれぞれ別々に設けたエンジンであっても、この発明を適用可能である。
【００３５】
また、上記では、エンジン１３等、全ての装置を遮音カバー２内に収容したエンジン発電機について説明したが、エンジンが遮音カバーで覆われているエンジン発電機であれば、この発明を同様に適用可能である。
【００３６】
【発明の効果】
以上詳述の通り、請求項１に記載の発明によれば、遮音カバーに形成された露出開口を介してオイル注入排出口に着脱可能なオイル注入又は排出用のオイル口用アダプタを有し、このオイル口用アダプタがアンダーカバーの底面部に形成された貫通開口に着脱可能に取付けられているので、エンジンにオイルを注入又は排出する際、オイル口用アダプタを貫通開口から取り外してオイル注入排出口に装着すれば、オイルの注入又は排出作業が容易になると同時に、アンダーカバーの底面部の貫通開口が開口されるため、オイルを遮音カバー内にこぼしても、落下したオイルを貫通開口から排出させることができ、アンダーカバーを清浄に保ち易い。しかも、オイル口用アダプターを使用しない間は貫通開口に取付けておけばエンジン発電機と一体状態で保持することができ、オイル口用アダプターを紛失しにくい。
【００３７】
しかも、貫通開口がオイル注入排出口の鉛直方向の下側位置に配置されているので、オイル注入排出口からこぼれたオイルを、そのまま貫通開口を通して外部に落下させることができ、アンダーカバー内を汚しにくい。
【００３８】
さらに、請求項２又は３に記載の発明によれば、アンダーカバーの底面部に、貫通開口を含み、オイル注入排出口の真下部位の周囲を囲むように上方に突出するリブが形成されているので、オイル注入排出口からこぼれたオイルがアンダーカバーに落下しても、該オイルをリブで囲まれたオイル注入排出口の真下部位の周囲に留めておくことができ、該オイルを貫通開口から排出し易く、また、アンダーカバーの底面部全体が落下したオイルにより汚れることを防止できる。
【００３９】
また、請求項４に記載の発明によれば、オイル口用アダプタが貫通開口を塞ぐ閉塞部を有するので、遮音カバーに貫通開口を設けていても、貫通開口を閉塞部で完全に塞げば、エンジン発電機の稼働中に発生する騒音が貫通開口を通して外部に伝わりにくく、遮音効果を向上することができる。
【００４０】
さらに、請求項５に記載の発明によれば、オイル口用アダプターが弾性材料から形成されているので、オイル口用アダプターを弾性変形させれば容易にエンジンのオイル供給排出口に着脱することができるとともに、アンダーカバーの貫通開口に容易に着脱することができる。
【図面の簡単な説明】
【図１】この発明の実施の形態のエンジン発電機の側面図である。
【図２】同実施の形態のエンジン発電機の内部を示す側面図である。
【図３】同実施の形態のエンジン発電機の図２のＡ−Ａ線に相当する部分の通常の使用状態を示す断面図である。
【図４】同実施の形態のエンジン発電機のアンダーカバーの一部の平面図である。
【図５】同実施の形態のエンジン発電機のオイル口用アダプタを示し、（ａ）は正面図、（ｂ）は側面図である。
【図６】同実施の形態のエンジン発電機の図２のＡ−Ａ線に相当する部分のオイル注入又は排出時の状態を示す断面図である。
【符号の説明】
１  エンジン発電機
２  遮音カバー
３  アンダーカバー
４  上部分割カバー
５  露出開口
１１  発電体
１３  エンジン
２３  オイル注入排出口
２７  貫通開口
２９  リブ
３１  オイル口用アダプタ
【図１】
0004129365.tif 000002
【図２】
0004129365.tif 000003
【図３】
0004129365.tif 000004
【図４】
0004129365.tif 000005
【図５】
0004129365.tif 000006
【図６】
0004129365.tif 000007